(57)【特許請求の範囲】
【請求項１】
防火区画部を厚み方向に貫通する貫通孔に配線・配管材が挿通されるとともに、前記貫通孔内における前記配線・配管材の周囲に熱膨張性耐火材が設けられてなる貫通部構造を形成するために前記熱膨張性耐火材の外側に配設されるスリーブ形成シートであって、
矩形シート状に形成されたシート本体を有するとともに、前記シート本体の一端縁又は両端縁に位置決め片を有し、前記シート本体が前記貫通孔内に挿入され、前記貫通孔を形成する前記防火区画部の周面に沿うように筒状に成形されるとともに、前記位置決め片が前記防火区画部の表面から突出するように配設され、前記防火区画部の表面と周面との境界から前記位置決め片が折り曲げられ、折り曲げられた位置決め片が前記防火区画部の表面に固着して前記貫通孔内に位置決めされることを特徴とするスリーブ形成シート。
【請求項２】
前記シート本体及び位置決め片は、不燃材料又は難燃材料より形成されている請求項１に記載のスリーブ形成シート。
【請求項３】
前記位置決め片には、粘着面が設けられている請求項１又は請求項２に記載のスリーブ形成シート。
【請求項４】
前記位置決め片は多数設けられている請求項１〜請求項３のうちいずれか一項に記載のスリーブ形成シート。
【請求項５】
防火区画部を厚み方向に貫通する貫通孔に配線・配管材が挿通されるとともに、前記貫通孔内における前記配線・配管材の周囲に熱膨張性耐火材が設けられ、前記熱膨張性耐火材の外側にスリーブ形成シートが配設されてなる貫通部構造の形成方法であって、
前記スリーブ形成シートが矩形シート状に形成されたシート本体を有するとともに、前記シート本体の一端縁又は両端縁に位置決め片を有しており、
前記シート本体を前記貫通孔内に挿入し、前記貫通孔を形成する前記防火区画部の周面に沿うように筒状に成形するとともに、前記位置決め片が前記防火区画部の表面から突出するように配設し、前記防火区画部の表面と周面との境界から前記位置決め片を折り曲げ、折り曲げた位置決め片を前記防火区画部の表面に固着して前記シート本体を前記貫通孔内に位置決めし、前記シート本体と配線・配管材との間に前記熱膨張性耐火材を充填することを特徴とする防火区画部における貫通部構造の形成方法。
【発明の詳細な説明】
【技術分野】
【０００１】
本発明は、貫通孔内における配線・配管材の周囲に熱膨張性耐火材が設けられてなる貫通部構造を形成するために熱膨張性耐火材の外側に配設されるスリーブ形成シート及びスリーブ形成シートを用いた貫通部構造の形成方法に関する。
【背景技術】
【０００２】
例えば、空洞部を有する防火区画壁（中空壁）に配線・配管材を貫通させるため、防火区画壁には厚み方向に貫通する貫通孔が形成されている。この防火区画壁には、一方の壁表側で火災等が発生したとき、貫通孔を経由して他方側に火炎、煙、有毒ガスが流入するのを阻止するための貫通部構造が設けられている。すなわち、貫通部構造は、火災等の発生時、貫通孔と配線・配管材の間を閉鎖することで、火炎、煙、有毒ガスの他方側への流入を阻止するようになっている。このような貫通部構造としては、例えば、特許文献１に開示されるものが挙げられる。
【０００３】
特許文献１の防火区画貫通部構造は、配線・配管材の貫通孔部分の外周に位置し、内周に熱膨張性材料からなるテープ状膨張体を積層したスリーブと、このスリーブと貫通孔との間隙を塞ぐ充填材とを備えてなる。そして、一方の壁表側で火災等が発生すると、配線・配管材は加熱され熱変形又は焼失するが、テープ状膨張体が熱膨張することにより、配線・配管材の熱変形又は焼失によって生じた空隙を閉塞する。よって、熱膨張したテープ状膨張体により、火炎、煙、有毒ガス等の他方側への流入を阻止することができる。また、テープ状膨張体の外周にスリーブが設けられることにより、テープ状膨張体が熱膨張したとき、防火区画壁の空洞部に向けてテープ状膨張体が膨張することが防止され、空隙を確実に閉塞することができる。
【特許文献１】特開２００４−２３２４５２号公報
【発明の開示】
【発明が解決しようとする課題】
【０００４】
ところで、特許文献１の防火区画貫通部構造において、スリーブは、鉄板を丸めてから貫通孔に挿入されており、鉄板が自身の弾性により貫通孔内で広がって貫通孔の内面に圧接することで鉄板が貫通孔内に位置決めされている。このため、スリーブの貫通孔内での位置決め力が弱く、スリーブが貫通孔内で移動したり、貫通孔から脱落する虞があった。また、防火区画壁の厚さは建築物によって異なる。このため、特許文献１の貫通部構造を形成するには、防火区画壁の厚さに合わせて複数種類のスリーブを製作する必要があり、さらに、貫通部構造を形成する際には防火区画壁の厚さに適合したスリーブを複数種類の中から選択しなければならない。
【０００５】
本発明は、上記問題点を解決するためになされたものであって、その目的は、シート本体を貫通孔内に確実に位置決めすることができるとともに、厚さの異なる防火区画部に対応することができるスリーブ形成シート及び貫通部構造の形成方法を提供することにある。
【課題を解決するための手段】
【０００６】
上記問題点を解決するために、請求項１に記載の発明は、防火区画部を厚み方向に貫通する貫通孔に配線・配管材が挿通されるとともに、前記貫通孔内における前記配線・配管材の周囲に熱膨張性耐火材が設けられてなる貫通部構造を形成するために前記熱膨張性耐火材の外側に配設されるスリーブ形成シートであって、矩形シート状に形成されたシート本体を有するとともに、前記シート本体の一端縁又は両端縁に位置決め片を有し、前記シート本体が前記貫通孔内に挿入され、前記貫通孔を形成する前記防火区画部の周面に沿うように筒状に成形されるとともに、前記位置決め片が前記防火区画部の表面から突出するように配設され、前記防火区画部の表面と周面との境界から前記位置決め片が折り曲げられ、折り曲げられた位置決め片が前記防火区画部の表面に固着して前記貫通孔内に位置決めされることを要旨とする。
【０００７】
請求項２に記載の発明は、請求項１に記載のスリーブ形成シートにおいて、前記シート本体及び位置決め片は、不燃材料又は難燃材料より形成されていることを要旨とする。
請求項３に記載の発明は、請求項１又は請求項２に記載のスリーブ形成シートにおいて、前記位置決め片には、粘着面が設けられていることを要旨とする。
【０００８】
請求項４に記載の発明は、請求項１〜請求項３のうちいずれか一項に記載のスリーブ形成シートにおいて、前記位置決め片は多数設けられていることを要旨とする。
請求項５に記載の発明は、防火区画部を厚み方向に貫通する貫通孔に配線・配管材が挿通されるとともに、前記貫通孔内における前記配線・配管材の周囲に熱膨張性耐火材が設けられ、前記熱膨張性耐火材の外側にスリーブ形成シートが配設されてなる貫通部構造の形成方法であって、前記スリーブ形成シートが矩形シート状に形成されたシート本体を有するとともに、前記シート本体の一端縁又は両端縁に位置決め片を有しており、前記シート本体を前記貫通孔内に挿入し、前記貫通孔を形成する前記防火区画部の周面に沿うように筒状に成形するとともに、前記位置決め片が前記防火区画部の表面から突出するように配設し、前記防火区画部の表面と周面との境界から前記位置決め片を折り曲げ、折り曲げた位置決め片を前記防火区画部の表面に固着して前記シート本体を前記貫通孔内に位置決めし、前記シート本体と配線・配管材との間に前記熱膨張性耐火材を充填することを要旨とする。
【発明の効果】
【０００９】
本発明によれば、シート本体を貫通孔内に確実に位置決めすることができるとともに、厚さの異なる防火区画部に対応することができる。
【発明を実施するための最良の形態】
【００１０】
以下、本発明を具体化した一実施形態を図１〜図５にしたがって説明する。
図１に示すように、防火区画部としての防火中空壁Ｗは、複数本の軽量形鋼材１０（図１では軽量形鋼材１０を一本だけ図示）と、軽量形鋼材１０を挟むようにして立設された区画部材としての複数対の間仕切り壁（石膏ボード）１１とから構築されている。軽量形鋼材１０を挟んで相対向する間仕切り壁１１同士の間には空洞部１２が形成されている。防火中空壁Ｗは、軽量形鋼材１０の太さを変更し、防火中空壁Ｗの厚み方向に沿った空洞部１２の幅を変更することにより、防火中空壁Ｗの厚さが変更されるようになっている。防火中空壁Ｗには、配線・配管材１３を貫通させるための貫通孔１４が、防火中空壁Ｗの厚み方向に貫通して形成されている。貫通孔１４は、各間仕切り壁１１に形成された円孔状の透孔１１ａと空洞部１２とが、防火中空壁Ｗの厚み方向に繋がることで形成されている。
【００１１】
そして、防火中空壁Ｗは、両透孔１１ａ及び空洞部１２を介して防火中空壁Ｗに配線・配管材１３を挿通可能としている。配線・配管材１３とは、建築物内に配設される配線（制御用ケーブル、同軸ケーブル、光ケーブル等）及び配管材（合成樹脂製可撓電線管、鋼製電線管等）の総称のことである。
【００１２】
図１及び図２に示すように、防火中空壁Ｗに形成される貫通部構造Ｔは、貫通孔１４に配線・配管材１３が挿通されるとともに、貫通孔１４内における配線・配管材１３の周囲に熱膨張性耐火材１５が設けられ、さらに、熱膨張性耐火材１５の外側に、スリーブとして機能するスリーブ形成シート２０が配設されてなるものである。貫通部構造Ｔを形成する熱膨張性耐火材１５は、直方体状に形成されている。そして、図１に示すように、熱膨張性耐火材１５は、直方体状に形成されたブロック体１５ａ全体が、四角箱状をなす熱膨張性耐熱材製の外装部材１５ｂ内に収容されて形成されている。すなわち、ブロック体１５ａは外装部材１５ｂによって全体が包まれることにより、外装部材１５ｂから脱落不能になっており、ブロック体１５ａと外装部材１５ｂは分離不能に一体化されている。
【００１３】
ブロック体１５ａは、セラミックウール、ロックウール等の不燃材料によって直方体状に形成されるとともに、ブロック体１５ａ自身はクッション性を有し、所要の弾性を有する。すなわち、ブロック体１５ａは圧縮変形可能であるとともに、圧縮変形した状態から原形状に復帰可能である。
【００１４】
外装部材１５ｂは、難燃性の熱膨張性耐熱材よりなる。この熱膨張性耐熱材は、１２０℃以上の熱を受けると体積が加熱前の３倍以上に膨張する膨張材を混入し所定形状に成形した（成形工程を経た）ゴム（熱膨張性ゴム）に、加硫工程を経てなるものである。なお、加硫工程とは、成形工程を経た熱膨張ゴムに熱を加え、加硫（架橋）反応や接着反応を起こさせる工程である。そして、加硫工程を経ることで熱膨張性耐熱材を四角箱状の外装部材１５ｂに成形することが可能となるとともに、外装部材１５ｂにゴム性を付与することが可能となる。
【００１５】
次に、スリーブ形成シート２０について詳細に説明する。スリーブ形成シート２０全体は、火災等の発生時、熱膨張性耐火材１５が膨張するまでの間に焼失してしまうことがないよう不燃材料（本実施形態ではガラスクロス）によって形成されている。スリーブ形成シート２０は、貫通孔１４を形成する防火中空壁Ｗの周面としての間仕切り壁１１の周壁面１１ｂに沿って変形可能となるように可撓性を有している。また、スリーブ形成シート２０は、貫通孔１４内に配設された状態で多数の熱膨張性耐火材１５を支持したとき、破れることがなく、熱膨張性耐火材１５が膨張して押圧されても破れることがないように所要の強度を有している。
【００１６】
図３に示すように、スリーブ形成シート２０は、矩形シート状に形成されたシート本体２１を有するとともに、シート本体２１の長辺方向に延びる両端縁に多数の位置決め片２２を有する。スリーブ形成シート２０（シート本体２１）の長辺方向に沿った長さＬ１は６７５ｍｍであり、シート本体２１の短辺方向に沿った長さＬ２は１００ｍｍである。スリーブ形成シート２０（シート本体２１）の長さＬ１は、シート本体２１を貫通孔１４内に配設したとき、貫通孔１４に向けた空洞部１２の開口全体をシート本体２１で閉鎖できるように、貫通孔１４の周長より長くなっている。また、シート本体２１の長さＬ２は、建築基準法で認定される防火中空壁Ｗの厚さ（１００ｍｍ以上）の最小値（１００ｍｍ）と同じとなっている。また、シート本体２１の長さＬ２は、複数種類存在する軽量形鋼材１０の太さ以上に設定されている。このため、シート本体２１によって貫通孔１４に向けた空洞部１２の開口全体を閉鎖できるようになっている。
【００１７】
位置決め片２２は、その長さ方向に沿った長さＬ３が５０ｍｍとなっている。そして、位置決め片２２は長さ方向におけるいずれの位置からも折り曲げ可能になっている。スリーブ形成シート２０の短辺方向に沿った長さ、すなわち、シート本体２１の短辺方向に沿った長さＬ２と、位置決め片２２の長さ方向に沿った長さＬ３との和（２００ｍｍ）は、建築基準法で認定される防火中空壁Ｗの厚さ（１００ｍｍ以上）より長くなっている。また、位置決め片２２の一面には粘着剤が塗布されるとともに、粘着剤によって位置決め片２２には粘着面２２ａが設けられている（図３参照）。
【００１８】
なお、図３に示すように、スリーブ形成シート２０の未使用時には、粘着面２２ａには剥離紙２３が貼着されているとともに、剥離紙２３によって粘着面２２ａが覆われている。剥離紙２３は、位置決め片２２の粘着面２２ａ、及びシート本体２１の両長辺側の側縁部を覆うように貼着されている。また、スリーブ形成シート２０の長辺方向に隣り合う位置決め片２２同士の間には、位置決め片２２を形成するために入れられた切れ込みが存在するだけであるため、多数の位置決め片２２はシート本体２１の長辺方向に連続して設けられるとともに、位置決め片２２同士の間には間隙が形成されていない。
【００１９】
上記構成のスリーブ形成シート２０は、所定の矩形状に形成したガラスクロスを加工することによって製造される。すなわち、ガラスクロスの両長辺側に、ガラスクロスの短辺方向に沿って６０ｍｍの幅で粘着剤を塗布して粘着面２２ａを形成するとともに、粘着面２２ａ全体を覆うように剥離紙２３をガラスクロスに貼着しておく。なお、剥離紙２３の長辺方向に沿った長さはガラスクロス（スリーブ形成シート２０）の長辺方向に沿った長さＬ１と同じであり、剥離紙２３の短辺方向に沿った長さＬ４（６０ｍｍ）は、位置決め片２２の長さ方向に沿った長さＬ３（５０ｍｍ）より長くなっている。
【００２０】
そして、ガラスクロス及び剥離紙２３の両長辺側に、ガラスクロスの短辺方向に沿って５０ｍｍの深さで多数の切り込みを入れることで、多数の位置決め片２２を形成すると同時にシート本体２１を形成してスリーブ形成シート２０が製造されている。なお、剥離紙２３には、その両長辺側から切り込みが入れられるが、剥離紙２３は短辺方向に沿った全体が切断されず、切り込み先では繋がっており剥離紙２３は複数に分割されていない。
【００２１】
次に、スリーブ形成シート２０を用いた貫通部構造Ｔの形成方法について説明する。貫通部構造Ｔを形成する際、厚さの異なる２種類の防火中空壁Ｗであっても１つのスリーブ形成シート２０で貫通部構造Ｔを形成することができる。
【００２２】
まず、厚さが１００ｍｍの防火中空壁Ｗに貫通部構造Ｔを形成する場合について説明する。
図４（ａ）及び図４（ｂ）に示すように、スリーブ形成シート２０を貫通孔１４内に挿入し、シート本体２１を両間仕切り壁１１の周壁面１１ｂに沿わせて円筒状に成形する。このとき、位置決め片２２の粘着面２２ａ（剥離紙２３）がスリーブ形成シート２０の外周面に露出するように、シート本体２１の成形向きを考慮する。また、スリーブ形成シート２０（シート本体２１）の長さＬ１を貫通孔１４の周長に合わせ、スリーブ形成シート２０における余長部を切断除去する。
【００２３】
ここで、防火中空壁Ｗの厚さ（１００ｍｍ）は、シート本体２１の長さＬ２（１００ｍｍ）と同じである。このため、シート本体２１の短辺と、防火中空壁Ｗの厚さとが合うようにシート本体２１を貫通孔１４内に配設すると、シート本体２１の長辺方向に延びる両端縁は、防火中空壁Ｗの表面としての各間仕切り壁１１の壁面１１ｃと、各間仕切り壁１１の周壁面１１ｂとの境界上に位置する。また、スリーブ形成シート２０の短辺方向に沿った長さは２００ｍｍであり、防火中空壁Ｗの厚さは１００ｍｍである。このため、シート本体２１を貫通孔１４内に配設したとき、位置決め片２２が防火中空壁Ｗの両壁面１１ｃから必ず突出するとともに、位置決め片２２を壁面１１ｃに向けて折り曲げ可能となる。
【００２４】
次いで、粘着面２２ａから剥離紙２３を除去して粘着面２２ａを露出させるとともに、防火中空壁Ｗの両壁面１１ｃから突出した位置決め片２２を、各間仕切り壁１１の壁面１１ｃと、間仕切り壁１１の周壁面１１ｂとの境界から折り曲げる。このとき、位置決め片２２は、その基端から折り曲げられることとなる。そして、折り曲げた位置決め片２２の粘着面２２ａを間仕切り壁１１の壁面１１ｃに貼着（固着）する。すると、シート本体２１が貫通孔１４内に移動不能に位置決めされるとともに、シート本体２１によって、貫通孔１４に向けた空洞部１２の開口全体が閉鎖される。
【００２５】
一方、図５（ａ）及び図５（ｂ）に示すように、軽量形鋼材１０の太さが、厚さ１００ｍｍの防火中空壁Ｗに用いられたものより太く、厚さが１００ｍｍより長い防火中空壁Ｗ（１１５ｍｍ）に貫通部構造Ｔを形成する場合は、まず、スリーブ形成シート２０を貫通孔１４内に挿入する。次いで、シート本体２１を両間仕切り壁１１の周壁面１１ｂに沿わせて円筒状に成形する。このとき、位置決め片２２の粘着面２２ａ（剥離紙２３）がスリーブ形成シート２０の外周面に露出するように、シート本体２１の成形向きを考慮する。また、スリーブ形成シート２０（シート本体２１）の長さＬ１を貫通孔１４の周長に合わせ、スリーブ形成シート２０における余長部を切断除去する。
【００２６】
ここで、防火中空壁Ｗの厚さ（１１５ｍｍ）は、シート本体２１の長さＬ２（１００ｍｍ）より長い。このため、シート本体２１の短辺が、防火中空壁Ｗの厚さ内に収まるようにシート本体２１を貫通孔１４内に配設すると、シート本体２１の長辺方向に延びる両端縁は、各間仕切り壁１１の壁面１１ｃと、各間仕切り壁１１の周壁面１１ｂとの境界よりも貫通孔１４の内寄りに位置する。また、スリーブ形成シート２０の短辺方向に沿った長さは２００ｍｍであり、防火中空壁Ｗの厚さは１１５ｍｍである。このため、シート本体２１を貫通孔１４内に配設したとき、位置決め片２２が防火中空壁Ｗの両壁面１１ｃから必ず突出するとともに、位置決め片２２を壁面１１ｃに向けて折り曲げ可能となる。
【００２７】
次いで、粘着面２２ａから剥離紙２３を除去して粘着面２２ａを露出させるとともに、防火中空壁Ｗの両壁面１１ｃから突出した位置決め片２２を、各間仕切り壁１１の壁面１１ｃと、間仕切り壁１１の周壁面１１ｂとの境界から折り曲げる。このとき、位置決め片２２は、その基端よりも先端側から折り曲げられることとなる。そして、折り曲げた位置決め片２２の粘着面２２ａを間仕切り壁１１の壁面１１ｃに貼着（固着）する。すると、シート本体２１が貫通孔１４内に移動不能に位置決めされるとともに、シート本体２１によって、貫通孔１４に向けた空洞部１２の開口全体が閉鎖される。
【００２８】
その後、いずれの厚さの防火中空壁Ｗにおいても同様の手順により貫通部構造Ｔが形成される。すなわち、図２に示すように、貫通孔１４内に配線・配管材１３を挿通する。そして、シート本体２１と配線・配管材１３との間に形成された空隙に熱膨張性耐火材１５を充填する。熱膨張性耐火材１５同士の間に隙間ができないように熱膨張性耐火材１５を充填すると、防火中空壁Ｗに貫通部構造Ｔが形成される。
【００２９】
さて、防火中空壁Ｗに貫通部構造Ｔが形成された建築物において、防火中空壁Ｗの一方の壁表側で火災等が発生し、配線・配管材１３が燃焼したとする。このとき、配線・配管材１３の外面に圧接するのは熱膨張性耐火材１５の外装部材１５ｂとなっている。そして、外装部材１５ｂは難燃性の熱膨張性耐熱材よりなる。このため、熱によって外装部材１５ｂが即座に焼失してしまうことはなく、熱を受けて膨張する。また、ブロック体１５ａは不燃性を有する材料より形成されているため、外装部材１５ｂが膨張したとき、ブロック体１５ａは燃焼することがない。
【００３０】
また、シート本体２１は不燃材料よりなるため、火災等の熱を受けても焼失することはなく、熱膨張性耐火材１５が膨張するまで熱膨張性耐火材１５を支持するとともに、貫通孔１４に向けた空洞部１２の開口全体を閉鎖し続ける。そして、加熱された外装部材１５ｂは配線・配管材１３に向けて膨張するとともに隣接する外装部材１５ｂ同士が接合して複数の熱膨張性耐火材１５が一つの塊状となる。
【００３１】
このとき、貫通孔１４に向けた空洞部１２の開口全体は、スリーブ形成シート２０のシート本体２１によって閉鎖されている。このため、スリーブ形成シート２０がスリーブとして機能し、熱膨張性耐火材１５が空洞部１２に向けて膨張することが阻止される。その結果、熱膨張性耐火材１５は配線・配管材１３に向けて膨張し、配線・配管材１３が膨張した熱膨張性耐火材１５によって押し潰される。すると、膨張した熱膨張性耐火材１５によって、配線・配管材１３とシート本体２１との間が密封閉鎖され、配線・配管材１３と周壁面１１ｂとの間が火炎、熱、煙、有毒ガスの経路となり、防火中空壁Ｗの他方の壁表側へ火炎、熱、煙、有毒ガスが伝わることが防止される。
【００３２】
上記実施形態によれば、以下のような効果を得ることができる。
（１）スリーブ形成シート２０は、シート本体２１及び位置決め片２２を有し、シート本体２１を間仕切り壁１１の周壁面１１ｂに沿って円筒状に配設した状態で位置決め片２２を折り曲げて間仕切り壁１１の壁面１１ｃに貼着（固着）することができる。よって、位置決め片２２の壁面１１ｃへの貼着により、シート本体２１を移動不能に貫通孔１４内に確実に位置決めすることができる。その結果として、シート本体２１によって、空洞部１２における貫通孔１４への開口を確実に閉鎖することができる。
【００３３】
（２）スリーブ形成シート２０は、シート本体２１及び位置決め片２２を有し、位置決め片２２は、その長さ方向におけるいずれの位置からも折り曲げ可能に形成されている。そして、防火中空壁Ｗの厚さが異なっても、位置決め片２２の折り曲げ位置を変更することにより、位置決め片２２を間仕切り壁１１の壁面１１ｃに貼着して、シート本体２１を貫通孔１４内に位置決めすることができる。よって、１タイプのスリーブ形成シート２０であっても、厚さの異なる複数の防火中空壁Ｗに貫通部構造Ｔを形成することができる。その結果として、防火中空壁Ｗの厚さ毎に長さの異なる複数種類のスリーブを必要とし、貫通部構造Ｔを形成する際に、スリーブを複数種類の中から選択する必要がある場合に比して、貫通部構造Ｔを容易に形成することができる。
【００３４】
（３）シート本体２１は不燃材料としてのガラスクロスより形成されている。このため、シート本体２１が熱により焼失してしまうことを防止することができ、熱膨張性耐火材１５が膨張しきるまで、貫通孔１４に向けた空洞部１２の開口全体をシート本体２１で閉鎖し続けることができる。よって、スリーブ形成シート２０によって熱膨張性耐火材１５が貫通孔１４内から空洞部１２内へ膨張することを阻止し、熱膨張性耐火材１５を配線・配管材１３に向けて膨張させることができ、配線・配管材１３を熱膨張性耐火材１５によって確実に押し潰すことができる。
【００３５】
（４）位置決め片２２の一面には粘着剤が塗布され粘着面２２ａが形成されている。このため、位置決め片２２を間仕切り壁１１の壁面１１ｃに容易に貼着することができ、シート本体２１を貫通孔１４内に位置決めする作業を容易に行うことができる。
【００３６】
（５）位置決め片２２は、シート本体２１の長辺方向に沿って多数形成されている。このため、スリーブ形成シート２０において、間仕切り壁１１の壁面１１ｃへの貼着面積を大きく確保することができ、シート本体２１を貫通孔１４内に確実に位置決めすることができる。
【００３７】
（６）シート本体２１の短辺方向に沿った長さＬ２は、建築基準法で認定された防火中空壁Ｗの厚さの最小値と同じになっている。このため、建築基準法で認定された防火中空壁Ｗに貫通部構造Ｔを形成する際には、シート本体２１が貫通孔１４内から壁表や壁裏側へ突出することがなく、防火中空壁Ｗの外観の低下を防止することができる。また、建築基準法で認定された防火中空壁Ｗの厚さは、シート本体２１の短辺方向に沿った長さＬ２以上となるため、防火中空壁Ｗの厚さに合わせてシート本体２１を切断して長さＬ２を調整する必要がなく貫通部構造Ｔの形成作業を簡単に行うことができる。
【００３８】
（７）シート本体２１はガラスクロスよりなり、金属材料と異なり容易に変形させることができる。よって、シート本体２１を、貫通孔１４を形成する間仕切り壁１１の周壁面１１ｂに沿うように配設する作業を容易に行うことができる。
【００３９】
（８）スリーブ形成シート２０の短辺方向に沿った長さ（シート本体２１の短辺方向に沿った長さＬ２と、位置決め片２２の長さ方向に沿った長さＬ３との和）は、防火中空壁Ｗの厚さより長くなっている。このため、貫通孔１４に向けた空洞部１２の開口全体を閉鎖するようにシート本体２１を周壁面１１ｂに沿わせて配設した状態では、位置決め片２２を貫通孔１４外へ必ず突出させることができる。このため、位置決め片２２を折り曲げて、粘着面２２ａを壁面１１ｃに貼着することができる。
【００４０】
（９）位置決め片２２は、シート本体２１の長辺方向に連続して多数形成されるとともに、シート本体２１の長辺方向に隣り合う位置決め片２２同士の間には間隙が形成されていない。このため、位置決め片２２を折り曲げても、位置決め片２２同士の間に大きな隙間が形成されることが防止される。
【００４１】
（１０）スリーブ形成シート２０（シート本体２１）の長さＬ１は、貫通孔１４の周長より長くなっているとともに、スリーブ形成シート２０はガラスクロスよりなり容易に切断可能になっている。このため、スリーブ形成シート２０（シート本体２１）の長さＬ１を貫通孔１４の周長に合わせ、さらに、余長部を切断除去する作業を容易に行うことができる。
【００４２】
（１１）スリーブ形成シート２０はスリーブとして機能し、貫通孔１４に向けた空洞部１２の開口全体をシート本体２１によって閉鎖することができる。したがって、貫通部構造Ｔを形成するため、貫通孔１４内に熱膨張性耐火材１５を充填する作業を行う際、シート本体２１によって熱膨張性耐火材１５が空洞部１２に落下することを防止することができる。
【００４３】
（１２）剥離紙２３には、位置決め片２２の形成に伴い切り込みが入れられるとともに、切れ込みが形成されない部位がシート本体２１の長辺方向全体に亘って設けられている。このため、剥離紙２３は、シート本体２１の長辺方向に沿って一体に繋がっている。よって、粘着面２２ａを露出させるために剥離紙２３を剥離したとき、一度に全ての粘着面２２ａを露出させることができる。したがって、例えば、各位置決め片２２それぞれに剥離紙２３が一枚ずつ貼着されている場合に比して、粘着面２２ａを露出させる作業を容易に行うことができる。
【００４４】
なお、上記実施形態は以下のように変更してもよい。
○  貫通孔１４を四角孔状等に形成してもよい。
○  スリーブ形成シート２０において、位置決め片２２は、シート本体２１の長辺方向に沿って間隙を空けて形成されていてもよく、この場合、位置決め片２２の数は実施形態より少なくなる。又は、位置決め片２２はシート本体２１の一端縁に一つ又は両端縁に一つずつ設けられていてもよい。
【００４５】
○  熱膨張性耐火材１５の外側に複数枚のスリーブ形成シート２０を配設し、複数枚のスリーブ形成シート２０で間仕切り壁１１の周壁面１１ｂ全周を覆うようにしてもよい。
○  貫通孔１４の周長がスリーブ形成シート２０の長辺方向への長さＬ１より短い場合は、余長部を切断せず、スリーブ形成シート２０を巻重ねてロール状に成形して、スリーブ形成シート２０を間仕切り壁１１の周壁面１１ｂに沿うように配設してもよい。
【００４６】
○  シート本体２１の長辺方向に沿った一端縁のみに位置決め片２２を形成してもよい。
○  位置決め片２２の一面に粘着面２２ａを予め形成しておかず、シート本体２１を位置決めする際、施工現場で位置決め片２２に粘着面２２ａを形成してもよい。
【００４７】
○  位置決め片２２の一面に粘着面２２ａを予め形成しておかず、シート本体２１を位置決めする際、位置決め片２２から壁面１１ｃに釘等を打ち込んで位置決め片２２を間仕切り壁１１の壁面１１ｃに固着してもよい。
【００４８】
○  防火区画部として、空洞部を有する防火区画床又は空洞部を有さない防火区画床に具体化してもよい。
○  スリーブ形成シート２０を、プラスチックやゴムなどに難燃剤（例えば、ハロゲン化合物）を練り込んだり、繊維や紙の表面に難燃剤を塗布してなる難燃材料（難燃性を有する材料）で形成してもよい。
【００４９】
○  実施形態において、剥離紙２３は、各位置決め片２２それぞれに独立して貼着されており、粘着面２２ａを露出させる際は、その露出させる粘着面２２ａに貼着された剥離紙２３を剥離するようにしてもよい。
【００５０】
○  スリーブ形成シート２０を金属材料で形成してもよい。
○  防火区画部としてのコンクリート壁に貫通部構造Ｔを形成する際、実施形態のスリーブ形成シート２０を用いてもよい。
【００５１】
○  防火中空壁Ｗにおいて、空洞部１２に断熱材が充填されていてもよい。このように構成した場合、断熱材は貫通孔１４が形成された部位は除去される。
○  防火中空壁Ｗの厚さに合わせて貫通孔１４に充填する熱膨張性耐火材１５の向きを変更してもよい。
【図面の簡単な説明】
【００５２】
【図１】実施形態の貫通部構造を示す分解斜視図。
【図２】貫通部構造を示す正面図。
【図３】スリーブ形成シートを示す平面図。
【図４】（ａ）はスリーブ形成シートを貫通孔内に配設した状態を示す部分斜視図、（ｂ）は貫通孔内を示す断面図。
【図５】（ａ）はスリーブ形成シートを貫通孔内に配設した状態を示す部分斜視図、（ｂ）は貫通孔内を示す断面図。
【符号の説明】
【００５３】
Ｔ…貫通部構造、Ｗ…防火区画部としての防火中空壁、１１ｂ…防火区画部の周面としての間仕切り壁の周壁面、１１ｃ…防火区画部の表面としての間仕切り壁の壁面、１３…配線・配管材、１４…貫通孔、１５…熱膨張性耐火材、２０…スリーブ形成シート、２１…シート本体、２２…位置決め片、２２ａ…粘着面。
【図１】
0005301850.tif 000002
【図２】
0005301850.tif 000003
【図３】
0005301850.tif 000004
【図４】
0005301850.tif 000005
【図５】
0005301850.tif 000006